(57)【要約】【課題】薬剤の混合することを忘れたりすることがない複室容器を提供すること。【解決手段】  仕切り手段２は、クリップ３と、棒状の補助具６とからなる。容器本体２１が二つ折りにされた際の折り込み部の内側に補助具６を挿入し、折り込み部において折り込まれた容器本体２１の上からクリップ３を被せることにより複室容器２０の容器本体２１の内部を閉塞する。このとき、クリップ３は、補助具６と係合するようにして固定される。二つ折り形態の容器本体２１を展開することによりクリップ３が脱落して充填室間が連通部を介して開通する。【選択図】図２
2006068511.tif 000002
【特許請求の範囲】
【請求項１】
複数の薬剤を収容する複室容器であって、薬剤を充填する複数の充填室と、少なくとも一つの充填室に設けられ、充填室間を連通する連通部と、前記複室容器の搬送形態において前記連通部を塞ぐ仕切り手段と、を具備し、前記複室容器の搬送形態が二つ折り形態であり、二つ折り形態の前記複室容器を展開することにより前記仕切り手段が脱落して前記充填室間が前記連通部を介して開通することを特徴とする複室容器。
【請求項２】
前記仕切り手段は、前記複室容器が二つ折りにされた際の折り込み部に挿入される補助具と、前記折り込み部において折り込まれた前記複室容器上から被せられるクリップと、を有することを特徴とする請求項１記載の複室容器。
【請求項３】
前記補助具は棒状体であり、前記クリップは、前記補助具を収容する空間を有し、断面略Ｃ字形状を有することを特徴とする請求項２記載の複室容器。
【請求項４】
前記補助具が当接する前記複室容器の反対側に当接し、前記クリップの前記空間内に開閉支点を有する開脚部材を有することを特徴とする請求項３記載の複室容器。
【請求項５】
前記開脚部材の前記クリップ側の先端は、外側に延在する突出部を有することを特徴とする請求項４記載の複室容器。
【請求項６】
前記充填室間の開通を確認するための警告部材を有することを特徴とする請求項１から請求項５のいずれかに記載の複室容器。
【請求項７】
複数の薬剤を収容し、少なくとも一つの充填室に設けられ、充填室間を連通する連通部を有する複室容器の搬送形態において前記連通部を塞ぐ仕切りユニットであって、前記仕切りユニットは、前記複室容器が二つ折りにされた際の折り込み部に挿入される補助具と、前記折り込み部において折り込まれた前記複室容器上から被せられるクリップと、を有することを特徴とする仕切りユニット。
【請求項８】
前記補助具は棒状体であり、前記クリップは、前記補助具を収容する空間を有し、断面略Ｃ字形状を有することを特徴とする請求項７記載の仕切りユニット。
【請求項９】
前記補助具が当接する前記複室容器の反対側に当接し、前記クリップの前記空間内に開閉支点を有する開脚板を有することを特徴とする請求項８記載の仕切りユニット。
【請求項１０】
前記開脚板の前記クリップ側の先端は、外側に延在する突出部を有することを特徴とする請求項９記載の仕切りユニット。
【発明の詳細な説明】
【技術分野】
【０００１】
本発明は複室容器に関し、特に、２以上の薬剤や接着剤などの液体などを収容し、これらの薬剤を混合することができる複室容器に関する。
【背景技術】
【０００２】
従来、２以上の薬剤を混合する場合、相互作用に起因する経時的変化によって薬剤が変質することを防止するために、医療現場において投与直前に各薬剤を混合して調製していた。しかしながら、このような投与直前の薬剤の混合は、微生物による汚染や異物の混入、過誤の混合、迅速な投与ができないなどの欠点があった。このため、現在、圧力の付加によって剥離可能なシールなどの仕切り手段を容器本体に設け、この仕切り手段で区画された複数の充填室に各未混合薬剤を個別に充填してなる複室型の容器が開発されている。この複室型の容器は、投与直前に仕切り手段を解除して各薬剤を混合するようになっている。
【０００３】
このような複室型の容器において、仕切り手段を解除して各薬剤を混合する方法としては、充填室を手などで押圧して充填室の容積を小さくすることにより、充填室内の薬剤の圧力で仕切り手段を解除して薬剤を混合する方法や、一つの充填室から別の充填室に仕切り手段を通して延在する注入栓を設け、この注入栓を開けることにより薬剤を混合する方法などがある。
【０００４】
このような混合方法においては、容器を所定の器具に装着して投与する際に、装着動作とは別に開通動作（押圧、開栓）が必要になる。このため、開通動作を行わずに薬剤を投与してしまう可能性がある。しかも、仕切り手段が解除されて薬剤が混合したかどうかを確認することが難しいタイプのものがあり、開通動作がなされていないことを発見することが困難なことがある。
【発明の開示】
【発明が解決しようとする課題】
【０００５】
本発明はかかる点に鑑みてなされたものであり、薬剤の混合することを忘れたりすることがない複室容器を提供することを目的とする。
【課題を解決するための手段】
【０００６】
本発明の複室容器は、複数の薬剤を収容する複室容器であって、薬剤を充填する複数の充填室と、少なくとも一つの充填室に設けられ、充填室間を連通する連通部と、前記複室容器の搬送形態において前記連通部を塞ぐ仕切り手段と、を具備し、前記複室容器の搬送形態が二つ折り形態であり、二つ折り形態の前記複室容器を展開することにより前記仕切り手段が脱落して前記充填室間が前記連通部を介して開通することを特徴とする。
【０００７】
本発明の複室容器においては、前記仕切り手段は、前記複室容器が二つ折りにされた際の折り込み部に挿入される補助具と、前記折り込み部において折り込まれた前記複室容器上から被せられるクリップと、を有することが好ましい。
【０００８】
本発明の複室容器においては、前記補助具は棒状体であり、前記クリップは、前記補助具を収容する空間を有し、断面略Ｃ字形状を有することが好ましい。
【０００９】
本発明の複室容器においては、前記補助具が当接する前記複室容器の反対側に当接し、前記クリップの前記空間内に開閉支点を有する開脚部材を有することが好ましい。
【００１０】
本発明の複室容器においては、前記開脚部材の前記クリップ側の先端は、外側に延在する突出部を有することが好ましい。
【００１１】
本発明の複室容器においては、前記充填室間の開通を確認するための警告部材を有することが好ましい。
【００１２】
本発明の仕切りユニットは、複数の薬剤を収容し、少なくとも一つの充填室に設けられ、充填室間を連通する連通部を有する複室容器の搬送形態において前記連通部を塞ぐ仕切りユニットであって、前記仕切りユニットは、前記複室容器が二つ折りにされた際の折り込み部に挿入される補助具と、前記折り込み部において折り込まれた前記複室容器上から被せられるクリップと、を有することを特徴とする。
【００１３】
本発明の仕切りユニットにおいては、前記補助具は棒状体であり、前記クリップは、前記補助具を収容する空間を有し、断面略Ｃ字形状を有することが好ましい。
【００１４】
本発明の仕切りユニットにおいては、前記補助具が当接する前記複室容器の反対側に当接し、前記クリップの前記空間内に開閉支点を有する開脚板を有することが好ましい。
【００１５】
本発明の仕切りユニットにおいては、前記開脚板の前記クリップ側の先端は、外側に延在する突出部を有することが好ましい。
【発明の効果】
【００１６】
本発明によれば、薬剤を充填する複数の充填室と、少なくとも一つの充填室に設けられ、充填室間を連通する連通部と、前記複室容器の搬送形態において前記連通部を塞ぐ仕切り手段と、を具備し、前記複室容器の搬送形態が二つ折り形態であり、二つ折り形態の前記複室容器を展開することにより前記仕切り手段が脱落して前記充填室間が前記連通部を介して開通するので、薬剤の混合することを忘れたりすることがない複室容器を提供することができる。
【発明を実施するための最良の形態】
【００１７】
すなわち、本発明の骨子は、梱包された複室容器を取り出して器具に装着するまでのユーザの通常の動作のうち、搬送形態が二つ折りである複室容器を展開する動作を利用して、複数の充填室を開通させて充填室内の薬剤を混合することである。
【００１８】
以下、本発明の実施の形態について、添付図面を参照して詳細に説明する。
（実施の形態１）
実施の形態１〜３においては、開通防止部材が折り込まれたクリップであり、複室容器を開くときにその動作によりクリップが外れて充填室間を連通させて開通状態となる場合について説明する。
【００１９】
図１は、本発明の実施の形態１に係る開通防止部材であるクリップを含む仕切りユニット示す図であり、図２は、図１に示す仕切りユニットを複室容器に取り付けた状態を示す側面図であり、図３は、図１に示す仕切りユニットを複室容器に取り付けた状態を示す斜視図である。このユニット１は、仕切り手段２と、剛性材料で構成された開脚板７とで構成される。
【００２０】
仕切り手段２は、クリップ３と、棒状の補助具６とからなる。クリップ３は、弾性を有する剛性材料で構成され、図２に示す複数（ここでは２つ）の充填室を有する容器本体２１の一方の壁部２２に当接した棒状の補助具６を他方の壁部２３から挟持して複室容器２０の容器本体２１の内部を閉塞する。すなわち、図２に示すように、容器本体２１が二つ折りにされた際の折り込み部の内側に補助具６を挿入し、折り込み部において折り込まれた容器本体２１の上からクリップ３を被せることにより複室容器２０の容器本体２１の内部を閉塞する。このとき、クリップ３は、補助具６と係合するようにして固定される。クリップ３は、断面が一部欠けた略円状を有する挟持部４と、該挟持部４の内側に形成された、補助具６を収容する挟持空間５とで構成されている。すなわち、クリップ３は、補助具６に被せられる大きさの断面略Ｃ字形状を有する。クリップ３は、弾性力を有するものであれば、鉄などの金属で構成されていても良いが、取り扱いの安全性を考慮すると、弾性プラスチック材で構成されるのが好ましい。
【００２１】
補助具６は、断面略円形である合成樹脂で構成される。補助具６は、図２に示すように、後述の複室容器２０の容器本体２１の一方の壁部２２に当接した状態でクリップ３の挟持部４に挟持される。補助具６は、容器本体２１の一方の壁部２２に接着剤などで一体的に固定されても良い。
【００２２】
開脚板７は、細長帯状に形成された剛性材料を湾曲させることにより形成されている。開脚板７は、図２に示すように、補助具６が当接する一方の壁部２２とは反対側の他方の壁部２３に当接した状態で、クリップ３の挟持部４に挟持される。したがって、開脚板７は、クリップ３の挟持空間５内に開閉支点を有し、この開閉支点を中心に開くことにより補助具６から脱落するようになっている。開脚板７は、硬質のものであれば、鉄などの金属で構成されていても良いが、取り扱いの安全性を考慮すると、プラスチック材で構成されるのが好ましい。
【００２３】
複室容器２０は、例えばポリエチレン、ポリプロピレン、エチレン−酢酸ビニルコポリマー、ポリ塩化ビニルなどの材料で構成されており、図４に示すように、容器本体２１の周辺部に形成されたシール部２４を備える。シール部２４は、容器本体２１を構成する２枚のフィルムシートの周辺部の内表面が、口栓３０の排出管３１を挟持した状態で加熱溶着されて形成される。口栓３０は、筒状で、排出管３１と、中空針が刺通されるまでゴム栓で密封された排出口３２とで構成されている。複室容器２０は、中央から左右に一定の間隔をあけて形成されたシール部２５と、該シール部２５の間に形成された連通部２６とを備える。シール部２５は、容器本体２１を構成する２枚のフィルムシートの中央から左右に一定の間隔をあけた内表面が、加熱溶着されて形成されている。連通部２６の開口幅は、開脚板７の幅より狭く構成されている。なお、複室容器２０は、図４に示す形状の他に、チューブ状フィルムから成型されるものもある。この場合には、チューブ状フィルムの両端部の２箇所がシール部となる。また、複室容器２０の充填室に充填する薬剤としては、液体−液体の組み合わせの他に、液体−粉体の組み合わせもある。液体−粉体の組み合わせのものは用時溶解型のものであり、例えば抗生物質と溶解液との組み合わせなどが挙げられる。
【００２４】
上記構成を有するユニット１を用いて容器本体２１の内部を仕切る場合、まず、シール部２５及び連通部２６に沿って補助具６を容器本体２１の一方の壁部２２に当接させる。次に、補助具６の当接位置で、一方の壁部２２を内側にして容器本体２１を二つ折りにする。次に、開脚板７の湾曲部８が連通部２６に位置するように、開脚板７を容器本体２１の他方の壁部２３に当接させる。次に、補助具６及び開脚板７の湾曲部８を当接させた位置で、複室容器２０の容器本体２１をクリップ３の挟持空間５に挿入して、クリップ３の挟持部４で挟持する。
【００２５】
ユニット１を複室容器２０に取り付けて容器本体２１の内部を仕切った後、口栓３０の排出口３２及び口栓３０とは反対側の端部に形成された充填口２７から各未混合薬剤を充填する。次に、排出口３２をゴム栓体で密閉し、また、充填口２７も加熱溶着して密閉し、各未混合薬剤を封入する。
【００２６】
ユニット１が複室容器２０に取り付けられている場合、図５（ａ）に示すように、補助具６と開脚板７の湾曲部８が当接する複室容器２０の連通部２６をクリップ３で挟持して閉塞し、また、開脚板７が当接していない部分は、シール部２５で容器本体２１の内部が閉塞されているので、複室容器２０の容器本体２１の内部を２つに区画して完全に仕切ることができる。また、ユニット１は、開脚板７によって、複室容器２０を二つ折りにした状態に維持することができ、複室容器２０をフックに吊り下げても、薬剤の投与ができない状態にあることを外観から確認することができる。
【００２７】
複室容器２０からユニット１を取り外す場合、開脚板７の両端付近をそれぞれ把持して、図５（ｂ）に示すように、開脚板７を外方向に広げることで、クリップ３の挟持部４が広がり、クリップ３の挟持を容易に解除し、クリップ３と補助具６とを脱落させることができる。これにより、ユニット１による仕切りが解除され、図５（ｃ）に示すように、複室容器２０の容器本体２１を展開して未混合薬剤を混合することができる。
【００２８】
なお、開脚板７の一端には、図６に示すように、複室容器２０の口栓３０を挿入する挿入穴９が形成され、他端には、口栓３０とは反対側の容器本体２１の端部を保持する係止部１０が形成されていても良い。これにより、開脚板７は、複室容器２０の容器本体２１を一定の位置で二つ折りにした状態に維持することができる。
【００２９】
本実施の形態においても、特別な開通動作をすることなく、複室容器を開くことのみによりクリップが外れて、充填室間が開通するので、ユーザの使用時に確実に充填室内の薬剤が混合することになる。
【００３０】
（実施の形態２）
図７は、本発明の実施の形態２に係る仕切りユニットを複室容器に取り付けた状態を示す図である。このユニット１は、実施の形態１と同様に構成された仕切り手段２と、布などの柔軟性材料で構成された開脚具７’とで構成される。ここで、開脚具７’の材質としては、紙、プラスチックフィルムなどを用いることがきる。
【００３１】
開脚具７’は、図７に示すように、環状に形成される。開脚具７’は、図８に示すように、複室容器２０の容器本体２１が二つ折りにされている状態を解除する破断部１１を有する。
【００３２】
上記構成を有する仕切りユニット１を用いて複室容器２０の容器本体２１を仕切る場合、まず、補助具６をシール部２５及び連通部２６に沿って容器本体２１の一方の壁部２２に当接させた状態で、一方の壁部２２を内側にして容器本体２１を二つ折りにする。次に、開脚具７’が連通部２６に位置し、かつ、破断部１１が連通部２６とは反対側に位置するように、開脚具７’を容器本体２１の他方の壁部２３に巻きつける。次に、補助具６を当接させた位置で、複室容器２０の容器本体２１をクリップ３の挟持空間５に挿入して、クリップ３の挟持部４で挟持する。その後、実施の形態１の場合と同様の方法で、ユニット１で区画された複室容器２０の容器本体２１の内部に各未混合薬剤を充填する。
【００３３】
実施の形態２に係る仕切りユニット１も、実施の形態１と同様に、補助具６と開脚具７’が当接する複室容器２０の連通部２６を、クリップ３で挟持して閉塞し、また、開脚具７’が当接していない部分は、シール部２５で容器本体２１の内部が閉塞されているので、複室容器２０の容器本体２１の内部を２つに区画して完全に仕切ることができる。また、ユニット１は、図７及び図８に示すように、開脚具７’の破断部１１が破断されていないため、複室容器２０を二つ折りにした状態に維持することができ、複室容器２０をフックに吊り下げても、薬剤の投与ができない状態にあることを外観から確認することができる。
【００３４】
複室容器２０からユニット１を取り外す場合、破断部１１を破断して形成された分離部分をそれぞれ把持して外方向に広げることで、クリップ３の挟持部４が広がり、クリップ３を解除することができる。これにより、ユニット１による仕切りが解除され、複室容器２０の容器本体２１を展開して未混合薬剤を混合することができる。なお、クリップ３を破断することにより、クリップ３を解除しても良く、その場合、クリップ３の破断を容易にするため、クリップ３の中央部に破断用のノッチなどを設けるのが好ましい。
【００３５】
本実施の形態においても、特別な開通動作をすることなく、複室容器を開くことのみにより折り畳まれたチューブが復元し、充填室間が開通するので、ユーザの使用時に確実に充填室内の薬剤が混合することになる。
【００３６】
（実施の形態３）
図９は、本発明の実施の形態３に係る仕切りユニットを示す図であり、図１０は、図９に示す仕切りユニットを複室容器に取り付けた状態を示す側面図であり、図１１は、図９に示す仕切りユニットを複室容器に取り付けた状態を示す斜視図である。このユニット１は、仕切り手段２と、一対の硬質の剛性材料で構成された開脚板７ａ，７ｂとで構成される。
【００３７】
仕切り手段２は、クリップ３と補助具６とを含む。クリップ３は、実施の形態１，２のクリップ３の挟持部４に、外方に延びる湾曲部４ａ，４ｂを設けたものである。
【００３８】
補助具６は、硬質の剛性材料で構成されている。補助具６は、図９に示すように、薄肉部１２で折り畳み可能に連結された半割棒状部材１３ａ，１３ｂで構成されている。補助具６は、容器本体２１の一方の壁部２２に当接した半割棒状部材１３ａ，１３ｂを閉じた状態でクリップ３の挟持部４に挟持される。
【００３９】
一対の開脚板７ａ，７ｂは、それぞれ細長帯状の硬質の剛性材料で構成され、補助具６の両端に一体的に形成されている。補助具６及び一対の開脚板７ａ，７ｂは、硬質のものであれば、鉄などの金属で構成されていても良いが、取り扱いの安全性を考慮すると、プラスチック材で構成されるのが好ましい。
【００４０】
上記構成を有する仕切りユニット１を用いて複室容器２０の容器本体２１を仕切る場合、まず、補助具６の一対の半割棒状部材１３ａ，１３ｂをシール部２５及び連通部２６に沿って一方の壁部２２に当接させ、次に、一対の開脚板７ａ，７ｂの他端に貼着された両面テープなどで一対の開脚板７ａ，７ｂを複室容器２０に固定する。次に、補助具６の薄肉部１２が配置されている位置で、一方の壁部２３を内側にして容器本体２１を二つ折りにする。次に、補助具６の半割棒状部材１３ａ，１３ｂを当接させた位置で、複室容器２０の容器本体２１をクリップ３の挟持空間５に挿入して、クリップ３の挟持部４で挟持する。この状態で図１５（ａ）に示す状態となる。次いで、図１５（ｂ）に示すように、容器本体２１内に薬剤を充填する。次いで、図１５（ｃ）に示すように、複室容器を滅菌し、検査した後に、図１５（ｄ）に示すように、開脚板７ａ，７ｂを容器本体２１の壁部２２にそれぞれ接着する。このようにして、ユニット１で区画された複室容器２０の容器本体２１の内部に各未混合薬剤を充填する。
【００４１】
実施の形態３に係る仕切りユニット１も、実施の形態１と同様に、補助具６の半割棒状部材１３ａ，１３ｂが当接する複室容器２０の連通部２６を、クリップ３で挟持して閉塞し、かつ、シール部２５で容器本体２１の内部が閉塞されているので、複室容器２０の容器本体２１の内部を２つに区画して完全に仕切ることができる。
【００４２】
複室容器２０からユニット１を取り外す場合、一対の開脚板７ａ，７ｂの他端付近をそれぞれ把持して、図１２（ｂ）に示すように、一対の開脚板７ａ，７ｂを外方向に広げることで、クリップ３の挟持部４が広がり、クリップ３を解除することができる。これにより、ユニット１による仕切りが解除され、図１２（ｃ）に示すように、複室容器２０の容器本体２１を展開して未混合薬剤を混合することができる。
【００４３】
なお、クリップ３の挟持部４には、図１３に示すように、警告シート１４が貼着されていても良い。かかる警告シート１４が貼着されていれば、前記複室容器２０をフックに吊り下げていても、ユーザは、容器本体２１の内部が未開通であることを認識することができる。また、補助具６を構成する半割棒状部材１３ａ，１３ｂは、硬質の剛性材料で構成され、一端が薄肉部１２で開閉可能に連結され、他端が開脚板７ａ，７ｂと一体的に形成された一対のプレート部１５ａ，１５ｂと、ゴムなどの弾性材料で構成され、前記一対のプレート部１５ａ，１５ｂにそれぞれ一体的に固定された一対の弾性片１６ａ，１６ｂとからなるものであっても良い。半割棒状部材１３ａ，１３ｂの弾性片１６ａ，１６ｂを利用して、図１４に示すように、半割棒状部材１３ａ，１３ｂを、クリップ３の挟持部４の両端付近に把持させた状態で挟持し、容器本体２１の内部を閉塞することができる。
【００４４】
本実施の形態においても、特別な開通動作をすることなく、複室容器を開くことのみにより折り畳まれたチューブが復元し、充填室間が開通するので、ユーザの使用時に確実に充填室内の薬剤が混合することになる。
【００４５】
ここで、開脚板７ａ，７ｂを容器本体２０の壁部２２に固定する方法としては、図１６（ａ）に示すように、開脚板７ａ，７ｂと壁部２２との間に両面テープ４１を介在させる方法、図１６（ｂ）に示すように、容器本体２０に開脚板７ａ，７ｂを添わして開脚板７ａ，７ｂと容器本体２０の壁部２２とを片面テープ４２で固定する方法、図１６（ｃ）に示すように、容器本体２０に開脚板７ａ，７ｂを添わして開脚板７ａ，７ｂの上から片面粘着板４３で固定する方法などが挙げられる。
【００４６】
また、開脚板７ａ，７ｂを容器本体２０の壁部２２に固定する他の方法としては、図１７（ａ）〜（ｃ）に示すように、開脚板７ａ，７ｂの長さを容器本体２０の幅よりも長く設定し、容器本体２０から延出した部分７ｃを折り返して、シール部４４を挟み込むようにする。このとき、開脚板７ａ，７ｂの折り返しは、加熱しながらの曲げ加工により行う。この加熱は、開脚板７ａ，７ｂの曲げ部分にのみ行うので、容器本体２０への熱的影響を小さくすることができる。また、図１８（ａ），（ｂ）に示すように、開脚板７ａ，７ｂを容器本体２０のシール部４４にシールして固定しても良い。
【００４７】
さらに、図１９（ａ）に示すように、開脚板７ａ，７ｂの外側に所定の厚さを有する弾性部材４５を取り付けておき、図１９（ｂ）に示すように、容器本体２０に仕切りユニットを装着する際に弾性部材４５を挟むようにしてクリップ３を取り付ける。このような構成にすることにより、各充填室間の密閉性を高めることができる。
【００４８】
上記実施の形態１〜３において説明した仕切りユニットに限定されず、他の構成の仕切りユニットを使用することもできる。例えば、図２０（ａ）に示すように、一対の断面略Ｊ型のクリップ４６，４７で仕切りユニットを構成しても良い。このクリップ４６，４７は、先端が湾曲した形状を有しており、外側のクリップ４７の湾曲部の曲率が内側のクリップ４６の曲率よりも僅かに大きく設定されている。したがって、クリップ４６の上にクリップ４７を被せて係合させることができる。この内側クリップ４６を容器本体２０の壁部２２に接着し、容器本体２０を二つ折りにした状態で、内側クリップ４６の上に外側クリップ４７を装着する。これにより、容器本体２０の充填室間の仕切りが行われる。この状態で、図２０（ａ）に示すように、矢印の方向に容器本体２０を開くことにより、図２０（ｂ）に示すように、外側クリップ４７が外れて充填室間が連通して薬剤が混合される。
【００４９】
また、上記実施の形態における開脚板７ａ，７ｂにおいて、クリップ３側の先端は、外側に延在する突出部を有することが好ましい。すなわち、図２１に示すように、クリップ３の挟持空間内において開脚板７ａ，７ｂの先端部が外側に延在する突出部７ｃを有するようにする。これにより、二つ折り形態でクリップの外れる力（圧縮力）をより大きくすることができ、複室容器の耐圧を高くすることができる。
【００５０】
開脚板７ａ，７ｂの先端部は、図２２に示すようになっている。図２２（ａ），（ｂ）に示すように、開脚板７ａ，７ｂの先端部に突出部７ｃが設けられている。この突出部７ｃは、クリップ３の挟持部４の内壁に接触又は摺動するようになっている。したがって、突出部７ｃの角部７ｄは、面取りされていることが好ましい。突出部７ｃと開脚板７ａ，７ｂとは別部材で構成しても良く、一体で構成しても良い。突出部７ｃと開脚板７ａ，７ｂとは別部材で構成する場合には、突出部７ｃと開脚板７ａ，７ｂとをそれぞれ作製し、突出部７ｃを開脚板７ａ，７ｂに接着などの方法により取り付ける。一方、突出部７ｃと開脚板７ａ，７ｂとを一体に構成する場合には、突出部７ｃと開脚板７ａ，７ｂとを含めた厚さの板材に凹部を形成して突出部７ｃと開脚板７ａ，７ｂとを設ける。また、開脚板７ａ，７ｂの突出部７ｃと反対側の端部については、図２２（ａ）に示すように、開脚板７ａ，７ｂの厚さと略同じ厚さであっても良く、図２２（ｂ）に示すように、開脚板７ａ，７ｂの厚さよりも大きな厚さであっても良い。
【００５１】
上記突出部７ｃを有する開脚板７ａ，７ｂについて、閉止性の評価を行った。具体的には、線状低密度ポリエチレン（ＬＬＤＰＥ、密度０．９２ｇ／ｃｍ3）をインフレーション成形して得られたフィルムを熱シールすることにより容器本体を作製した。次いで、開脚板及びゴム板を容器本体で挟み、その上からパイプ型クリップで閉止することにより、二つの充填室からなる二つ折り複室容器を作製した。容器本体において、フィルムの厚みを３００μｍとし、開通部の幅を１００ｍｍとした。このとき、クリップによる閉止が容易になるように、容器本体の中央に楔形のシールを施した。また、クリップはポリプロピレン製パイプにスリットを切削加工することで作製した。パイプとしては、外径１６ｍｍ（厚さ２ｍｍ）、外径２０ｍｍ（厚さ２ｍｍ）、外径３２ｍｍ（厚さ３ｍｍ）と外径６３ｍｍ（厚さ６ｍｍ）の４種類のものを用いた。また、すべてのパイプのスリット幅は４ｍｍとした。そして、開脚板には、厚さ２ｍｍのポリプロピレン板を使用し、ゴム板には、厚さ０．５ｍｍのシリコーンゴムシートを使用した。このポリプロピレン板は、厚さ４ｍｍの板を削り、クリップで留める先端部に幅２ｍｍ、高さ２ｍｍのクリップ止め（突出部）を設けたものである。
【００５２】
閉止性については、充填室に圧力をかけた時にクリップが外れる力（圧縮力）で評価した。クリップのはずれる圧縮力は、圧縮試験機（東洋精機製テンシロン）に３００ｍｍ×２２０ｍｍのアルミニウム板を取り付け、２００ｍｍ／分の速度で容器本体を押圧することにより行った。具体的には、クリップを取り付けた後、一方の充填室にのみ１０３５ｍＬの水を入れて、展開した状態で液の入った充填室のみ押圧した場合と、両方の充填室に１０３５ｍＬずつ水を入れて、折り畳んだ状態で押圧した場合について、クリップが外れた瞬間の最大圧縮力（Ｎ＝２）を測定した。その結果を平均値として下記表１に示す。
【表１】
2006068511.tif 000003
【００５３】
表１から分かるように、パイプの外径が大きくなるほど閉止力（クリップを外すための押圧力）は低くなった。従来のシールで閉止した複室容器製剤の開通に必要な圧縮力は数百Ｎレベルである。本発明に係る複室容器においてクリップを外すために必要な押圧力がほぼ１ｋＮ程度であることから、この複室容器は実用的な衝撃耐性が十分あると考えられる。さらに、外径１６ｍｍのクリップでは、容器本体を二つ折りにして押圧したときにクリップが外れる最大圧縮力が３．５ｋＮであり、非常に高い耐圧を示した。
【００５４】
本発明は上記実施の形態に限定されず、種々変更して実施することが可能である。例えば、上記実施の形態における仕切りユニットの形状、材質、数などについてはこれに限定されず、仕切りユニットには、二つ折り形態の複室容器を展開することにより仕切り手段が脱落して充填室間が連通部を介して開通する機能を発揮するものすべてを含む。その他、本発明の範囲を逸脱しない限りにおいて適宜変更して実施することが可能である。
【図面の簡単な説明】
【００５５】
【図１】本発明の実施の形態１に係る仕切りユニットを示す斜視図である。
【図２】図１に示す仕切りユニットを複室容器に取り付けた状態を示す側面図である。
【図３】図１に示す仕切りユニットを複室容器に取り付けた状態を示す斜視図である。
【図４】複室容器を示す正面図である。
【図５】（ａ）〜（ｃ）は、二つ折りにした容器本体を展開するまでの状態を説明するための図である。
【図６】開脚板の他の例を用いた実施の形態１に係る仕切りユニット具を複室容器に取り付けた状態を示す斜視図である。
【図７】本発明の実施の形態２に係る仕切りユニットを複室容器に取り付けた状態を示す側面図である。
【図８】本発明の実施の形態２に係る仕切りユニットを複室容器に取り付けた状態を示す斜視図である。
【図９】本発明の実施の形態３に係る仕切りユニットを示す斜視図である。
【図１０】図９に示す仕切りユニットを複室容器に取り付けた状態を示す側面図である。
【図１１】図９に示す仕切りユニットを複室容器に取り付けた状態を示す斜視図である。
【図１２】（ａ）〜（ｃ）は、二つ折りにした容器本体を展開するまでの状態を説明するための図である。
【図１３】図９に示す仕切りユニットを複室容器に取り付けた状態を示す斜視図である。
【図１４】図９に示す補助具をクリップに挟持した状態の複室容器を示す部分拡大断面図である。
【図１５】（ａ）〜（ｄ）は、本発明の実施の形態３に示す複室容器に薬剤を充填する方法を説明するための図である。
【図１６】（ａ）〜（ｃ）は、本発明の実施の形態３において、容器本体への開脚板の取り付け方法を説明するための図である。
【図１７】（ａ）〜（ｃ）は、本発明の実施の形態３において、容器本体への開脚板の固定方法を説明するための図である。
【図１８】（ａ），（ｂ）は、本発明の実施の形態３において、容器本体への開脚板の固定方法を説明するための図である。
【図１９】（ａ），（ｂ）は、仕切りユニットの他の例を示す図である。
【図２０】（ａ），（ｂ）は、仕切りユニットの他の例を示す図である。
【図２１】仕切りユニットの開脚板の他の態様を示す図である。
【図２２】（ａ），（ｂ）は、図２１に示す開脚板の先端部を示す図である。
【符号の説明】
【００５６】
１  ユニット
２  仕切り手段
３，４６，４７  クリップ
４  挟持部
４ａ，４ｂ，８  湾曲部
５  挟持空間
６  補助具
７，７ａ，７ｂ  開脚板
７ｃ  突出部
７’  開脚具
９  挿入穴
１０  係止部
１１  破断部
１２  薄肉部
１３ａ，１３ｂ  半割棒状部材
１４  警告シート
１５ａ，１５ｂ  プレート部
１６ａ，１６ｂ  弾性片
２０  複室容器
２１  容器本体
２４，２５  シール部
２６  連通部
【図１】
2006068511.tif 000004
【図２】
2006068511.tif 000005
【図３】
2006068511.tif 000006
【図４】
2006068511.tif 000007
【図５】
2006068511.tif 000008
【図６】
2006068511.tif 000009
【図７】
2006068511.tif 000010
【図８】
2006068511.tif 000011
【図９】
2006068511.tif 000012
【図１０】
2006068511.tif 000013
【図１１】
2006068511.tif 000014
【図１２】
2006068511.tif 000015
【図１３】
2006068511.tif 000016
【図１４】
2006068511.tif 000017
【図１５】
2006068511.tif 000018
【図１６】
2006068511.tif 000019
【図１７】
2006068511.tif 000020
【図１８】
2006068511.tif 000021
【図１９】
2006068511.tif 000022
【図２０】
2006068511.tif 000023
【図２１】
2006068511.tif 000024
【図２２】
2006068511.tif 000025